(57)【要約】【課題】プラントの性能試験報告書の作成時に、各種データの転記が必要で多大な労力を要するという課題があった。【解決手段】プラントデータ管理装置１０に記録されたプラント性能試験の記録データを読み取る記録データ読取手段１と、前記プラントデータ管理装置１０に記録されない環境データ・燃料データ等の未記録データを入力するデータ入力手段４と、前記記録データ及び入力されたデータからプラント全体又は設備単位の効率を算出するプラント効率算出手段２と、該プラント効率に基づいて性能試験報告書を作成する報告書作成手段３とから構成してある。【選択図】図１
2008065649.tif 000002
【特許請求の範囲】
【請求項１】
プラントデータ管理装置に記録されたプラント性能試験の記録データを読み取る記録データ読取手段と、前記プラントデータ管理装置に記録されない環境データ・燃料データ等の未記録データを入力するデータ入力手段と、前記記録データ及び入力されたデータからプラント全体又は設備単位の効率を算出するプラント効率算出手段と、該プラント効率に基づいて性能試験報告書を作成する報告書作成手段とからなる性能試験報告書自動作成システム。
【請求項２】
前記プラント効率算出手段が、燃料の性状データに基づいてプラント効率を補正する効率補正手段を備えた請求項１に記載の性能試験報告書自動作成システム。
【請求項３】
前記報告書作成手段が、定期点検の前後に行われたプラント性能試験におけるプラント効率を比較し、一定値以上変動したプラント効率を抽出する抽出手段を備えた請求項１又は２に記載の性能試験報告書自動作成システム。
【請求項４】
定期点検において実施したプラントの工事項目を入力する工事項目入力手段を備え、前記報告書作成手段が実施した工事項目に基づいて性能試験のコメントを作成するようにした請求項１乃至３の何れかに記載の性能試験報告書自動作成システム。
【請求項５】
定期点検時に行われる各工事項目を前記設備単位に関連付けて記憶する工事項目記憶手段を備えた請求項４に記載の性能試験報告書自動作成システム。
【請求項６】
前記報告書作成手段が性能試験結果をグラフ表示するグラフ表示手段を備えた請求項１乃至５の何れかに記載の性能試験報告書自動作成システム。
【請求項７】
前記プラント効率算出手段が算出したプラント効率をプラント制御装置にフィードバックさせるフィードバック手段を備えた請求項１乃至６の何れかに記載の性能試験報告書自動作成システム。
【発明の詳細な説明】
【技術分野】
【０００１】
本発明は、発電所等のプラントの性能試験報告書を作成する性能試験報告書自動作成システムに関する。
【背景技術】
【０００２】
発電プラントでは、定期点検時の工事によるプラントへの影響を把握するために、定期点検の前後にプラントの性能試験を行い、定期点検の前後のプラント効率を対比して性能試験報告書を作成している。従来、性能試験報告書は、作成員が性能試験時の環境データや燃料データを収集して、各プラントにおける性能試験の計算機データと共に効率計算書に転記して作成していた。
【０００３】
また、発電プラントの性能試験記録データを管理する記録データ管理装置において、異なる日時に行われたプラントの性能試験結果を複数の記録データとして保存し、複数の記録データを各データ項目毎に対比した比較帳票を作成すると共に、この比較帳票に対するコメントを入力可能にして記録データと共に管理することができるようにした記録データ管理装置は知られている（例えば、特許文献１参照）。
【０００４】
【特許文献１】特開平８−１３７７１２号公報
【発明の開示】
【発明が解決しようとする課題】
【０００５】
従来の性能試験報告書は、作成員が性能試験の計算機データ一覧から必要なデータを読み取り、効率計算書に転記するのに多大な労力を要していた。また、特に石炭火力プラントでは、燃料の石炭性状によって性能試験の結果に影響を及ぼすことから燃料分析が必要である。この燃料データや環境データのように計算機データに含まれない性能試験時のデータは、作成員がデータを収集するのに時間を要し、性能試験報告書の作成が遅れるという課題があった。
【０００６】
また、特許文献１に記載の記録データ管理装置では、性能試験記録データに含まれない燃料分析データ等が性能試験結果に反映されないのみならず、作成員によるコメントの作成及び入力が必要であり、性能試験報告書の作成に依然として工数を要するという課題があった。
【課題を解決するための手段】
【０００７】
本発明は、上記課題を解決するために、プラントデータ管理装置に記録されたプラント性能試験の記録データを読み取る記録データ読取手段と、前記プラントデータ管理装置に記録されない環境データ・燃料データ等の未記録データを入力するデータ入力手段と、前記記録データ及び入力されたデータからプラント全体又は設備単位の効率を算出するプラント効率算出手段と、該プラント効率に基づいて性能試験報告書を作成する報告書作成手段とからなる性能試験報告書自動作成システムを提供するものである。
【０００８】
また、本発明は、前記プラント効率算出手段が、燃料の性状データに基づいてプラント効率を補正する効率補正手段を備えた請求項１に記載の性能試験報告書自動作成システムを提供するものである。
【０００９】
また、本発明は、前記報告書作成手段が、定期点検の前後に行われたプラント性能試験におけるプラント効率を比較し、一定値以上変動したプラント効率を抽出する抽出手段を備えた請求項１又は２に記載の性能試験報告書自動作成システムを提供するものである。
【００１０】
また、本発明は、定期点検において実施したプラントの工事項目を入力する工事項目入力手段を備え、前記報告書作成手段が実施した工事項目に基づいて性能試験のコメントを作成するようにした請求項１乃至３の何れかに記載の性能試験報告書自動作成システムを提供するものである。
【００１１】
また、本発明は、定期点検時に行われる各工事項目を前記設備単位に関連付けて記憶する工事項目記憶手段を備えた請求項４に記載の性能試験報告書自動作成システムを提供するものである。
【００１２】
また、本発明は、前記報告書作成手段が性能試験結果をグラフ表示するグラフ表示手段を備えた請求項１乃至５の何れかに記載の性能試験報告書自動作成システムを提供するものである。
【００１３】
また、本発明は、前記プラント効率算出手段が算出したプラント効率をプラント制御装置にフィードバックさせるフィードバック手段を備えた請求項１乃至６の何れかに記載の性能試験報告書自動作成システムを提供するものである。
【発明の効果】
【００１４】
本発明に係る性能試験報告書自動作成システムによれば、プラントデータ管理装置に記録されたプラント性能試験の記録データを読み取る記録データ読取手段と、前記プラントデータ管理装置に記録されない環境データ・燃料データ等の未記録データを入力するデータ入力手段と、前記記録データ及び入力されたデータからプラント全体又は設備単位の効率を算出するプラント効率算出手段と、該プラント効率に基づいて性能試験報告書を作成する報告書作成手段とからなる構成を有することにより、プラントデータ管理装置に記録されたプラント性能試験の記録データを自動的に読み取って性能試験報告書を作成することができるから、性能試験報告書の作成にかかる工数を大幅に低減することができる。また、プラントデータ管理装置に記録されない環境データや燃料データ等の未記録データもデータ入力手段により入力することができ、環境データや燃料データ等を反映した正確なプラント効率を算出して性能試験報告書を自動で作成することができる効果がある。
【００１５】
また、本発明は、前記プラント効率算出手段が、燃料の性状データに基づいてプラント効率を補正する効率補正手段を備えた請求項１に記載の構成を有することにより、異なる日時に行われる性能試験において、燃料の性状データの違いによるプラント効率のバラツキを抑制して正確な性能試験報告書を作成することができる効果がある。
【００１６】
また、本発明は、前記報告書作成手段が、定期点検の前後に行われたプラント性能試験におけるプラント効率を比較し、一定値以上変動したプラント効率を抽出する抽出手段を備えた請求項１又は２に記載の構成を有することにより、定期点検の前後で一定値以上プラント効率が変動した設備を自動的に抽出することができ、プラント性能の変化を容易に把握して報告書のコメントを作成することができる効果がある。
【００１７】
また、本発明は、定期点検において実施したプラントの工事項目を入力する工事項目入力手段を備え、前記報告書作成手段が実施した工事項目に基づいて性能試験のコメントを作成するようにした請求項１乃至３の何れかに記載の構成を有することにより、定期点検において実施した工事項目に基づいたコメントを自動的に作成することができる効果がある。
【００１８】
また、本発明は、定期点検時に行われる各工事項目を前記設備単位に関連付けて記憶する工事項目記憶手段を備えた請求項４に記載の構成を有することにより、プラントの設備単位に関連する工事項目に基づいたコメントを作成することができ、プラントの設備単位に効率と実施した工事項目を対応させて性能試験に対する詳細なコメントを自動で作成することができる効果がある。
【００１９】
また、本発明は、前記報告書作成手段が性能試験結果をグラフ表示するグラフ表示手段を備えた請求項１乃至５の何れかに記載の構成を有することにより、プラントの性能試験結果を簡単に把握することができる効果がある。
【００２０】
また、本発明は、前記プラント効率算出手段が算出したプラント効率をプラント制御装置にフィードバックさせるフィードバック手段を備えた請求項１乃至６の何れかに記載の構成を有することにより、定期点検後の最新のプラント効率に基づいてプラントを運転制御することができる効果がある。
【発明を実施するための最良の形態】
【００２１】
本発明の実施の形態を図示する実施例に基づいて説明する。
本発明に係る性能試験報告書自動作成システムは、プラントデータ管理装置１０に記録されたプラント性能試験の記録データを読み取る記録データ読取手段１と、前記プラントデータ管理装置１０に記録されない環境データ・燃料データ等の未記録データを入力するデータ入力手段４と、前記記録データ及び入力されたデータからプラント全体又は設備単位の効率を算出するプラント効率算出手段２と、該プラント効率に基づいて性能試験報告書を作成する報告書作成手段３とから構成してある。
【実施例１】
【００２２】
図１に示す実施例において、１１はプラント運用計算機であり、各プラント設備のプロセスデータをもとにプラントの運転状況の管理に必要なデータを得て、プラントデータ管理装置１０に記憶することができるようにしてある。
【００２３】
また、６はパソコン等の端末からなる入出力手段であり、プラント性能試験の試験条件を入力することができると共に、性能試験報告書をモニターや用紙等に出力することができるように構成してある。
図２に示すように、入出力手段６は、プラント性能試験を行うプラント名、測定開始日時、測定周期等を入力することができるようにしてあり、この試験条件に基づいてプラント運用計算機１１は性能試験データを収集してプラントデータ管理装置１０に記憶するようにしてある。
【００２４】
図１に示す実施例において、記録データ読取手段１は、入出力手段６からの要求によりプラント性能試験の測定が開始され、プラントデータ管理装置１０に記録されたプラント性能試験の記録データの内、報告書作成に必要な記録データを自動的に読み取ることができるように構成してある。
【００２５】
図１に示す実施例において、データ入力手段４は、大気圧・復水器真空度・温度等の環境データ測定施設や石炭成分・クリンカ未燃分等の燃料分析施設に設けた入力端末からなる。データ入力手段４は、図３に示すように、各種環境データ及び燃料データを入力することができる手段を有し、プラント運用計算機１１で収集できないためにプラントデータ管理装置１０に記録されないこれらの未記録データを入手することができるように構成してある。
【００２６】
プラント効率算出手段２は、記録データ読取手段１で読み取った記録データ及びデータ入力手段４から入力された環境データ・燃料データ等のデータからプラント全体又は設備単位の効率を算出することができるように構成してある。また、プラント効率算出手段２は、データ入力手段４から入力された燃料の性状データに基づいてプラント効率を補正する効率補正手段を備えている。石炭火力プラントの場合には、常に同じ炭種を使用してプラント性能試験を行うことができないことから、効率補正手段で炭種の違いによるプラント効率の変動を抑制することができるように構成してある。
【００２７】
図１に示す実施例において、５は工事項目記憶手段であり、図５に示すように、定期点検時に行われる各工事項目を設備単位に関連付けて記憶することができるように構成してある。また、入出力手段６は工事項目入力手段を備えており、定期点検において実施したプラントの工事項目を工事項目記憶手段５に記憶された一覧の中から選択して入力することができるようにしてある。
【００２８】
報告書作成手段３は、図４に示すように、プラント効率算出手段２で算出したプラント全体又は設備単位のプラント効率に基づいて性能試験報告書を作成するように構成してある。報告書作成手段３は、プラント効率の実績値と共に、効率補正手段で補正したプラント効率の補正値を併記するようにしてある。また、報告書作成手段３は、定期点検の前後に行われたプラント性能試験のプラント効率を比較し、定期点検によるプラント効率の変化を表示することができるようにしてある。
【００２９】
また、報告書作成手段３は、定期点検の前後においてプラント効率が一定値以上変動した設備のプラント効率を抽出する抽出手段を備えており、この抽出した設備について入出力手段６から入力された工事項目に基づいて性能試験のコメントを作成することができるようにしてある。このコメントは、工事項目記憶手段５に工事項目に関連付けて記憶してあり、報告書作成手段３が自動的にコメントを作成することができると共に、入出力手段６からコメントの内容を修正又は追加することができるようにしてある。
また、報告書作成手段３は、性能試験結果をグラフ表示するグラフ表示手段を備えた構成にすることも可能である。
【００３０】
本発明に係る性能試験報告書自動作成システムは、プラント効率算出手段２が算出したプラント効率をプラント制御装置にフィードバックさせるフィードバック手段を備えており、定期点検後の最新のプラント効率に基づいてプラントを運転制御することができるように構成してある。
【図面の簡単な説明】
【００３１】
【図１】本発明に係る性能試験報告書自動作成システムの一実施例を示す構成図。
【図２】プラント性能試験設定の一実施例を示す図。
【図３】データ入力手段の一実施例を示す図。
【図４】プラント性能試験報告書の一実施例を示す図。
【図５】工事項目記憶手段の一実施例を示す図。
【符号の説明】
【００３２】
１  記録データ読取手段
２  プラント効率算出手段
３  報告書作成手段
４  データ入力手段
５  工事項目記憶手段
６  入出力手段
１０  プラントデータ管理装置
１１  プラント運用計算機
【図１】
2008065649.tif 000003
【図２】
2008065649.tif 000004
【図３】
2008065649.tif 000005
【図４】
2008065649.tif 000006
【図５】
2008065649.tif 000007